(57)【特許請求の範囲】
【請求項１】
シンク（１）の排水口（２）の内径と合致する外径を有するリング部（１２）の表面に一対の嵌合凸部（１３）を対向させて設けた前記シンクと同一素材で形成した下部体（１１）と、
前記下部体（１１）と同径の円柱状に形成した基台部（２２）の下面に、前記下部体（１１）の嵌合凸部（１３）と嵌合する嵌合凹部（２５）を有した一対の連結脚部（２３）を設け、前記基台部（２２）の上面に一体に設けた円盤状の大径部（２７）の中心に中央排水孔（２８）を設け、該中央排水孔を中心とした同心円上にそれぞれ円弧状に形成した環状排水孔（２９）の入口（２９ａ）を複数設け、大径部（２７）の裏面に前記入口（２９ａ）の位置から内側の同心円上で前記入口（２９ａ）から直接見えない角度に傾斜させて出口（２９ｂ）を設け、前記入口（２９ａ）と出口（２９ｂ）とを流路（２９ｃ）により連通して形成した前記シンクと同一素材からなる上部体（２１）とからなり、
前記下部体（１１）の嵌合凸部（１３）と前記上部体（２１）の嵌合凹部（２５）とをそれぞれ着脱可能に嵌合して連結してシンクの排水口に取付可能にし、また、前記上部体（２１）の大径部（２７）を前記シンクの底面と大径部（２７）の上面とが同一平面に位置するように上部体（２１）をシンク（１）の排水口（２）に取付可能にしてなることを特徴とするシンクの排水口用蓋体。
【請求項２】
前記中央排水孔（２８）は、大径部（２７）の表面に開口した入口（２８ａ）が小径で基台部（２２）の底面に開口した出口（２８ｂ）を大径にしたテーパー状の流路（２８ｃ）を設けてなることを特徴とする請求項1記載のシンクの排水口用蓋体。
【請求項３】
前記上部体（２１）は、大径部（２７）の裏面で同心円上に、複数の係止突起（３１）を等間隔で一体に設けてなることを特徴とする請求項1記載のシンクの排水口用蓋体。
【請求項４】
前記上部体（２１）の基台部（２２）に設けた連結脚部（２３）は、底面周縁を４等分して平坦な空間部（２６）と連結脚部（２３）を交互でそれぞれ対向する位置に設け、連結脚部（２３）の底面を開口して設けた嵌合凹部（２５）は、前記下部体（１１）に設けた嵌合凸部（１３）と嵌合する逆くさび状に切欠いてなり、前記嵌合凹部（２５）の端面と嵌合凸部（１３）の端面を互いに水平方向から着脱可能に嵌合させてなることを特徴とする請求項1記載のシンクの排水口用蓋体。
【発明の詳細な説明】
【技術分野】
【０００１】
本発明は、シンクを組成する材料と同一材料を使用して排水口用の蓋体を形成することにより、排水口を目立たなくするものである。
【背景技術】
【０００２】
従来、合成樹脂材を使用して形成したキッチン用シンク、特に大理石に似せたキッチン用シンク（人造大理石シンク）は、外観の美しさと高級感を有することから高級マンションや高級住宅用のシステムキッチンとして広く使用されている。
【０００３】
また、シンクの排水口は、構造上シンクの中央後部やコーナーに設け、シンクの底面を排水口に向かってやや下り勾配にすることにより水切れを良くしている。そのため、洗い物のうち、小さな食器や箸またはスプーンなどの小物が排水口から落ちる危険性が有るため、排水口には水や野菜くずなどは流下するが、食器や箸またはスプーンなどの小物は流下しにくい構造の蓋板が取付けられている。
【０００４】
さらに、前記蓋板の下部に連通する排水トラップには、調理時に発生する野菜くずや食べ残しくずなどを溜める収納かごを取付けて野菜くずなどが排水トラップから排水管に流れてパイプ詰まりを生じないようにした蓋板が知られている。
【先行技術文献】
【特許文献】
【０００５】
【特許文献１】実公昭４９−１４５１４号
【特許文献２】特開平０８−６８０９０号
【０００６】
一方、シンクの排水口に取付ける蓋板の多くは、耐水性を有する錆びにくい金属素材であるステンレス材により形成されている。しかし、高級感を有する人造大理石により形成したシンクの排水口に、金属素材の排水蓋を取付けると、排水蓋が目立ち違和感を生ずる。さらには、昨今のシステムキッチンの多くは、対面キッチンやアイランドキッチンなどが使用され、これらのキッチンは、人目につきやすい位置にあることからシンク内は勿論、排水口までよく見えるようになっている。そのため、シンクに取付けた金属製の排水口が違和感を生じ、システムキッチンの高級感と綺麗なイメージが阻害され、また、排水蓋に設けた排水孔もそのまま見えるのでシンクが汚いというイメージが生じ、せっかくの高級感が損なわれるという問題点を有している。
【発明の概要】
【発明が解決しようとする課題】
【０００７】
そこで、本発明は、シンク用の蓋板をシンクと同一素材で形成し、且つ、排水孔を上から見えなくすると共に、シンクの用途によっては蓋板の高さを調整可能にすることにより、綺麗なシンクと高級感を有するシンクを形成することを課題とする。
【課題を解決するための手段】
【０００８】
本発明は、シンク１の排水口２の内径と合致する外径を有するリング部１２の表面に一対の嵌合凸部１３を対向させて設けた下部体１１と、前記下部体１１と同径の円柱状に形成した基台部２２の下面に、前記下部体１１の嵌合凸部１３と嵌合する嵌合凹部２５を有した一対の連結脚部２３を設け、前記基台部２２の上面に中央排水孔２８と環状排水口２９とをそれぞれ設けた円盤状の大径部２７を一体に形成した上部体２１とからなり、前記下部体１１の嵌合凸部１３と、上部体２１の嵌合凹部２５とをそれぞれ着脱可能に嵌合して連結してなることを特徴とする。また、前記上部体２１は、大径部２７の中心に中央排水孔２８を設け、該中央排水口を中心とした同心円上にそれぞれ円弧状に形成した複数の環状排水孔２９を設けてなることを特徴とする。さらに、前記中央排水孔２８は、大径部２７の表面に開口した入口２８ａが小径で基台部２２の底面に開口した出口２８ｂを大径にしたテーパー状の流路２８ｃを設けてなることを特徴とする。さらにはまた、前記環状排水孔２９は、前記大径部２７の表面に入口２９ａを設け、大径部２７の裏面に出口２９ｂを形成し、該出口は、前記入口２９ａの位置から内側の同心円上でそれぞれ入口２９ａから出口２９ｂが直接見えない角度に傾斜させた流路２９ｃにより連通してなることを特徴とする。また、前記上部体２１は、大径部２７の裏面で同心円上に、複数の係止突起３１を等間隔で一体に設けてなることを特徴とする。さらに、前記上部体２１の基台部２２に設けた連結脚部２３は、底面周縁を４等分して平坦な空間部２６と連結脚部２３を交互にそれぞれ対向する位置に設け、連結脚部２３の底面を開口して設けた嵌合凹部２５は、前記下部体１１に設けた嵌合凸部１３と嵌合する逆くさび状に切欠いてなり、前記嵌合凹部２５の端面と嵌合凸部１３の端面を互いに水平方向から着脱可能に嵌合させてなることを特徴とする。
【０００９】
したがって、シンク１と同一素材で形成した下部体１１と上部体２１とからなる蓋体１０をシンク１の排水口２に取付けることにより、蓋体１０をシンク１と一体に同化させることができるので、外観上、蓋体１０が目立たずシンク１に取付ける蓋体１０の違和感を無くして高級感を生じさせることができる。また、排水口２の表面に位置する蓋板１０の環状排水孔２９の入口と出口の位置を相違させることにより、表面側から環状排水孔２９の出口が見えないので目立たず、シンク１に違和感がなく高級感を維持することができる。さらに、蓋体１０は、下部体１１と上部体２１を分離して上部体２１のみを使用して排水口２に被せることができるので、シンク１の底面をフラットにしてシンク内を広く使用することができ、且つ、そのままで洗い物をしても水を十分に排水することができる。  
【図面の簡単な説明】
【００１０】
【図１】排水口に蓋体を取付けた使用状態を示すシンクの平面図である。
【図２】本発明にかかる蓋体の平面側斜視図である。
【図３】本発明にかかる蓋体の底面側斜視図である。
【図４】蓋体の正面図である。
【図５】蓋体の側面図である。
【図６】図４のＡ―Ａ線断面図である。
【図７】図５のＢ―Ｂ線断面図である。
【図８】上部体の正面図である。
【図９】下部体の正面図である。
【図１０】蓋体を構成する上部体から下部体を水平方向にズラして離脱させる状態の側面図である。
【図１１】シンクの排水口に蓋体を取付けた状態を示す断面図である。
【図１２】シンクの排水口に蓋体の上部体のみを取付けた状態を示す断面図である。
【発明を実施するための形態】
【００１１】
本発明の実施の形態を図面に基づいて説明すると、図１は排水口に蓋体を取付けたシンクの平面図、図２は本発明にかかる蓋体の平面側斜視図、図３は本発明にかかる蓋体の底面側斜視図、図４は蓋体の正面図、図５は蓋体の側面図、図６は図４のＡ―Ａ線断面図、図７は図５のＢ―Ｂ線断面図、図８は上部体の正面図、図９は下部体の正面図である。シンク１は、合成樹脂材により形成され、いわゆる、人工大理石製の台所用シンクである。
【００１２】
前記シンク１は、底面に設けた排水口２に向かってやや下り勾配に形成して水切れを良くし、該排水口に蓋体１０を着脱可能に取付けてある。前記排水口２は、該排水口の開口部に設けた係止段部３に排水トラップ５の上端に設けた鍔部６をシールリング４を介して係止して連結し、この排水トラップ５には、洗浄水と共に流下する野菜くずや食べくずなどを収容するゴミかご８を取付けてある。
【００１３】
前記蓋体１０を構成する下部体１１と上部体２１は、シンク１と同一素材の合成樹脂材で形成してある。シンク１と同一素材の蓋板１０を使用して排水口２に取付けることにより、シンク１内の排水口２が目立たずシンク１と一体になり綺麗で高級感を生じさせることができる。シンクと蓋体は同一素材であるが、同一色にする場合と、カラーコーディネート上、違う色で製造する場合とがある。
【００１４】
前記蓋体１０は図２、３に示すごとく、排水口２の開口部付近の内径と合致する外径を有する下部体１１と、該下部体の上部に着脱可能に取付ける上部体２１とからなり、前記下部体１１は、図９に示すごとく、排水口２の内径と合致する外径を有するリング部１２の表面で、それぞれ対向する位置に一対の嵌合凸部１３を突設してある。この嵌合凸部１３は、上部が広く下部を狭くした逆くさび状に形成し、上部体２１と嵌合させたとき、上部体２１と下部体１１が上下方向に抜けるのを防止している。
【００１５】
前記上部体２１は、図２、４、８に示すごとく、前記下部体１１と同径で円柱状に形成した基台部２２の下面を４等分して、前記下部体１１の嵌合凸部１３と嵌合する嵌合凹部２５を有した連結脚部２３とシンクの洗浄水を流下させる空間部２６を交互に設け、前記基台部２２の上面に複数の排水孔２８、２９を有した円盤状の大径部２７をそれぞれ一体に形成してある。
【００１６】
前記基台部２２の下面に一対の連結脚部２３と一対の空間部２６をそれぞれ対向した位置に設け、連結脚部２３に設けた嵌合凹部２５と下部体１１に設けた嵌合凸部１３とは、互いの端面をそれぞれ水平方向にスライドさせて嵌合させることにより着脱可能に連結してある。前記空間部２６は、前記基台部２２の下面側に排水される洗浄水を効率良く排水トラップ５内に流れるようにしてある。
【００１７】
前記上部体２１の大径部２７に設けた複数の排水孔２８、２９は、図６、７に示すごとく、大径部２７の中心に位置する中央排水孔２８と、該中央排水口を中心とした同心円で円弧状に形成した複数の環状排水孔２９、２９とからなり、前記中央排水孔２８は、表面に開口した入口２８ａが小径で基台部２２の底面に開口した出口２８ｂを大径に形成したテーパー状の流路２８ｃを形成してある。
【００１８】
この中央排水口２８は、シンク１内の洗浄水を排水するだけでなく、蓋体１０を排水口２から取り外す際、指先を中央排水口２８に挿入した後、指先を曲げてテーパー状の流路２８ｃの内側に指先を引掛けることにより、容易に蓋体１０を上方に引き上げ取り外すことができる。
【００１９】
前記環状排水孔２９は、前記基台部２２の底面に開口した出口２９ｂの位置を、大径部２７の表面に開口した入口２９ａから直接見えない中心側の同心円上に開口し、流路２９ｃを傾斜させて形成してある。したがって、環状排水孔２９の入口２９ａから出口２９ｂが直接見えないので、表面から蓋板１０の下部に連通する排水トラップ５やまたはゴミかご８が直接見えないようにしてある。
【００２０】
前記連結脚部２３の底面を開口して設けた嵌合凹部２５は、前記した下部体１１の嵌合凸部１３と合致する逆くさび状に切欠いて形成してある。この嵌合凹部２５と下部体１１に設けた嵌合凸部１３とは、前記したごとく、嵌合凹部２５の端面と嵌合凸部１３の端面を互いに水平方向からスライドさせて着脱可能に嵌合させて連結してある。したがって、蓋体１０を排水口２に取付けた状態では、排水トラップ５の内壁面に当たり上部体２１を下部体１１から外すことはできない。
【００２１】
また、前記上部体２１は、大径部２７の裏面で同心円上に、複数の係止突起３１を等間隔で一体に設けてある。この係止突起３１は、上部体２１を単独で排水口２に取付けたとき、大径部２７の係止突起３１が排水トラップ５の上端鍔部６に係止して該鍔部と大径部２７との間に隙間３２を設けて取付けることができる。
【００２２】
したがって、排水口２に上部体２１を蓋せることによりシンク１内を広く使用することができると共に、洗い物をした場合も鍔部６と大径部２７との隙間３２から洗浄水を排水することができるので排水効率を高めることができる。シンク１内の洗浄水は前記隙間３２以外に、大径部２７の表面に設けた中央排水孔２８と環状排水孔２９から排水することができるのは勿論である。
【００２３】
以下、本発明の実施の形態の作用について説明すると、蓋体１０を構成する下部体１１と上部体２１をシンク１と同一素材により形成したことにより、シンク１と蓋体１０が一体となり、排水口２を目立たなくすることができるので、シンク１の高級感をグレードアップすることができる。
【００２４】
前記蓋体１０は、下部体１１の嵌合凸部１３と、上部体２１の嵌合凹部２５とをそれぞれ着脱可能に嵌合して連結してある。したがって、蓋体１０は用途により、図１１に示すごとく、下部体１１と上部体２１とを結合した状態で使用することもでき、図１２に示すごとく、下部体１１を上部体２１から外して上部体２１のみを排水口２に取付けて使用することもできる。
【００２５】
下部体１１と上部体２１を連結した蓋体１０として使用する場合、図１１に示すごとく、下部体１１が排水トラップ５の開口部内径とほぼ同径の外径に形成してあるため、下部体１１が排水トラップ５の開口部に狭着される。
【００２６】
したがって、下部体１１と連結してある上部体２１は、基台部２２の下面に設けた空間部２６がシンク１の底面から上方に突出し、シンク内の洗浄水は、中央排水孔２８と環状排水孔２９から排水することができるのは勿論、野菜くずや食べ残しごみなどは、この空間部２６から流下させてシンク内に溜まるのを防止することができる。
【００２７】
さらに、洗浄水と共に流下したごみは、排水トラップ５に取付けたゴミかご８に収納することができるので、排水管（図示せず）の詰まりを防止することができる。また、この上部体２１に設けた空間部２６は、大径部２７の内側に位置するため上面からは見えないので、外観上は上部体２１とシンクを一体に見せることができる。
【００２８】
蓋体１０は、図１２に示すごとく、下部体１１から上部体２１を分離して、上部体２１のみを排水口２に取付けて使用することができる。上部体２１のみを使用した場合、大径部２７の上面とシンク１の底面とが同一平面上に位置するので、シンク１の底面全体をフラットにすることができ、シンク底面を広く使用することができるので食器やなべなどの洗い物を置くことができる。
【００２９】
上部体２１からの洗浄水の排水は、大径部２７の表面に設けた中央排水孔２８と環状排水口２９とからそれぞれ排水すると共に、大径部２７の裏面に設けた係止突起３１が排水トラップ５の鍔部６に係止されることにより生じた隙間３２からも効率良く排水することができる。
【００３０】
排水口２に取付けた蓋体１０または上部体２１の取り外しは、大径部２７の中央排水孔２８から指を入れて、指先を折り曲げると内側がテーパー状に形成してあるため簡単に指先を引掛けることができ、指先を折り曲げた状態で上方に引き上げることにより、簡単に蓋体１０または上部体２１を引き抜くことができる。
【符号の説明】
【００３１】
１    シンク
２    排水口
３    係止段部
５    排水トラップ
６    鍔部
８    ゴミかご
１０    蓋体
１１    下部体
１２    リング部
１３    嵌合凸部
２１    上部体
２２    基台部
２３    連結脚部
２５    嵌合凹部
２６    空間部
２７    大径部
２８    中央排水孔
２８ａ  入口
２８ｂ  出口
２８ｃ  流路
２９    環状排水孔
２９ａ  入口
２９ｂ  出口
２９ｃ  流路
３１    係止突起
３２    隙間
【図１】
0006660183.tif 000002
【図２】
0006660183.tif 000003
【図３】
0006660183.tif 000004
【図４】
0006660183.tif 000005
【図５】
0006660183.tif 000006
【図６】
0006660183.tif 000007
【図７】
0006660183.tif 000008
【図８】
0006660183.tif 000009
【図９】
0006660183.tif 000010
【図１０】
0006660183.tif 000011
【図１１】
0006660183.tif 000012
【図１２】
0006660183.tif 000013